(57)【要約】【課題】輝度の低下を抑えて薄型化を図るとともに、副鏡が脱落し難く振動や衝撃に対する耐性が高い光源装置およびプロジェクターを提供すること。【解決手段】光源装置１０は、管球部２１と封止部２２ａ，２２ｂとを有する発光管２０と、平面Ｓ２で切断したとき一方側が削除された形状を有する反射部３２と基部３４とを有するリフレクター３０と、リフレクター３０とは反対側に管球部２１に対向配置された反射部４２と固定部４４とを有する副鏡４０と、封止部２２ｂと基部３４との間に配置され発光管２０とリフレクター３０とを固着するとともに封止部２２ｂと固定部４４との間に配置され発光管２０と副鏡４０とを固着する接着剤Ｃとを備え、基部３４は固定部４４と重なる第１の部分３４ａと固定部４４と重ならない第２の部分３４ｂとを有し、第２の部分３４ｂと封止部２２ｂとの距離は第１の部分３４ａと封止部２２ｂとの距離よりも小さい。【選択図】図３
2011181309.tif 000002
【特許請求の範囲】
【請求項１】
管球部と、前記管球部の両側に照明光軸に沿って延設された一対の封止部と、を有する発光管と、
所定の平面で切断したとき一方側が削除された形状を有し前記管球部から射出される光を被照明領域側に反射する第１の反射部と、前記第１の反射部から前記一対の封止部の一方に沿って延設された基部と、を有するリフレクターと、
前記発光管を間に挟んで前記リフレクターとは反対側に配置されており、前記管球部に対向配置された第２の反射部と、前記第２の反射部から前記一方の前記封止部に沿って延設された固定部と、を有する副鏡と、
前記一方の前記封止部と前記基部との間に配置され前記発光管と前記リフレクターとを固着するとともに、前記一方の前記封止部と前記固定部との間に配置され前記発光管と前記副鏡とを固着する接着剤と、を備え、
前記基部は、前記固定部と重なる第１の部分と、前記固定部と重ならない第２の部分と、を有し、
前記基部の前記第２の部分と前記一方の前記封止部との距離は、前記基部の前記第１の部分と前記一方の前記封止部との距離よりも小さいことを特徴とする光源装置。
【請求項２】
請求項１に記載の光源装置であって、
前記基部の前記第２の部分と前記一方の前記封止部との距離は、前記基部の前記第１の部分と前記固定部との距離と略同一であることを特徴とする光源装置。
【請求項３】
請求項１または２に記載の光源装置であって
前記基部は、前記一方の前記封止部の外周を半周を超えて覆っていることを特徴とする光源装置。
【請求項４】
請求項１から３のいずれか一項に記載の光源装置を備える照明装置と、
前記照明装置からの照明光を画像情報に応じて変調する電気光学変調装置と、
前記電気光学変調装置からの変調光を投写する投写レンズと、
を備えていることを特徴とするプロジェクター。
【発明の詳細な説明】
【技術分野】
【０００１】
本発明は、光源装置およびプロジェクターに関する。
【背景技術】
【０００２】
プロジェクターに用いる光源装置として、管球部と管球部の両側に延設された一対の封止部とを有する発光管と、所定の平面で切断したとき一方側が削除された形状を有し、管球部から射出される光を被照明領域側に反射する反射部を有するリフレクターと、発光管を間に挟んでリフレクターとは反対側に配置され、管球部から射出される光を管球部側に反射する副鏡とを備える光源装置が知られている（例えば、特許文献１参照）。
【０００３】
このような光源装置の構成によれば、リフレクターの一方側、すなわち副鏡の位置する側が削除されることで薄型化が図られ、その一方で、管球部からリフレクターの削除された側へ射出される光を副鏡で反射し有効利用することで、輝度の低下が抑えられる。このような光源装置では、リフレクターの反射部から延設された基部と発光管の封止部とが固着されており、副鏡の反射部から延設された固定部と発光管の封止部とが固着されている。
【先行技術文献】
【特許文献】
【０００４】
【特許文献１】特開２００７−３３５１９６号公報
【発明の概要】
【発明が解決しようとする課題】
【０００５】
しかしながら、上記のような構成の光源装置では、発光管の封止部における重力方向の下方側に副鏡の固定部が固着されているため、副鏡が発光管から脱落し易く、振動や衝撃に対する耐性が低いという課題があった。また、リフレクターの基部は略円筒形の略１／２が削除された形状を有しているが、反射部における基部との接続部分が開口されるため、基部の断面が大きいほどその分反射部の面積が減少し輝度が低下してしまうという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る光源装置は、管球部と、前記管球部の両側に照明光軸に沿って延設された一対の封止部と、を有する発光管と、所定の平面で切断したとき一方側が削除された形状を有し前記管球部から射出される光を被照明領域側に反射する第１の反射部と、前記第１の反射部から前記一対の封止部の一方に沿って延設された基部と、を有するリフレクターと、前記発光管を間に挟んで前記リフレクターとは反対側に配置されており、前記管球部に対向配置された第２の反射部と、前記第２の反射部から前記一方の前記封止部に沿って延設された固定部と、を有する副鏡と、前記一方の前記封止部と前記基部との間に配置され前記発光管と前記リフレクターとを固着するとともに、前記一方の前記封止部と前記固定部との間に配置され前記発光管と前記副鏡とを固着する接着剤と、を備え、前記基部は、前記固定部と重なる第１の部分と、前記固定部と重ならない第２の部分と、を有し、前記基部の前記第２の部分と前記一方の前記封止部との距離は、前記基部の前記第１の部分と前記一方の前記封止部との距離よりも小さいことを特徴とする。
【０００８】
この構成によれば、リフレクターの一方側が削除されて薄型化されており、発光管の管球部から一方側に射出される光は副鏡により反射され有効利用される。したがって、輝度の低下を抑えて光源装置を薄型化できる。
【０００９】
また、この構成によれば、リフレクターの基部のうち第１の部分が副鏡の固定部と重なっている。このため、固定部を封止部に接着剤で固着することに加えて、基部の第１の部分と固定部との間にも接着剤を配置することで、固定部の一部を接着剤を介して封止部と基部の第１の部分との間に保持することができる。これにより、副鏡が発光管から脱落し難くなるとともに、振動や衝撃に対する耐性が向上する。
【００１０】
ところで、基部の第１の部分と封止部との距離は、封止部と固定部との距離、固定部の厚さ、および固定部と第１の部分との距離の和となる。基部の断面が略円形である場合、基部のうち固定部と重ならない第２の部分と封止部との距離も、第１の部分と封止部との距離と略同一となる。これに対して、この構成によれば、基部の第２の部分と一方の封止部との距離は、基部の第１の部分と一方の封止部との距離よりも小さい。このため、基部の断面が略円形である場合に比べて、リフレクターの第１の反射部における基部側の開口を小さくでき、第１の反射部の面積をその分大きくすることができる。これにより、第１の反射部でより多くの光を反射することができるので、輝度の低下がより抑えられる。
これらの結果、薄型化を図りながら輝度の低下を抑えるとともに、副鏡が脱落し難く振動や衝撃に対する耐性が高い光源装置を提供できる。
【００１１】
［適用例２］上記適用例に係る光源装置であって、前記基部の前記第２の部分と前記一方の前記封止部との距離は、前記基部の前記第１の部分と前記固定部との距離と略同一であることが好ましい。
【００１２】
この構成によれば、基部のうち第２の部分と一方の封止部との距離には、封止部と固定部との距離および固定部の厚さに相当する距離分が含まれない。このため、リフレクターの第１の反射部における基部側の開口をさらに小さくでき、第１の反射部の面積をその分さらに大きくすることができる。
【００１３】
［適用例３］上記適用例に係る光源装置であって、前記基部は、前記一方の前記封止部の外周を半周を超えて覆っていることが好ましい。
【００１４】
この構成によれば、リフレクターの基部が発光管の封止部の外周を半周を超えて覆っているので、基部の一部を副鏡の固定部に重ならせて、その基部の一部と固定部との間に接着剤を配置することができる。
【００１５】
［適用例４］本適用例に係るプロジェクターは、上記に記載の光源装置を備える照明装置と、前記照明装置からの照明光を画像情報に応じて変調する電気光学変調装置と、前記電気光学変調装置からの変調光を投写する投写レンズと、を備えていることを特徴とする。
【００１６】
この構成によれば、輝度の低下を抑えて薄型化を図り、振動や衝撃に対する耐性が高い本発明の光源装置を備えるため、高輝度かつ薄型で、耐衝撃性の高いプロジェクターを提供できる。
【図面の簡単な説明】
【００１７】
【図１】第１の実施形態に係るプロジェクターの概略構成を示す図。
【図２】第１の実施形態に係る光源装置の概略構成を示す図。
【図３】第１の実施形態に係る光源装置の概略構成を示す図。
【図４】第１の実施形態に係る光源装置の概略構成を示す図。
【図５】第２の実施形態に係る光源装置の概略構成を示す図。
【発明を実施するための形態】
【００１８】
以下に、本実施の形態について図面を参照して説明する。なお、参照する各図面において、構成をわかりやすく示すため、各構成要素の寸法の比率、角度等は適宜異ならせてある。
【００１９】
（第１の実施形態）
＜プロジェクター＞
まず、第１の実施形態に係るプロジェクターについて、図１を参照して説明する。図１は、第１の実施形態に係るプロジェクターの概略構成を示す図である。
【００２０】
第１の実施形態に係るプロジェクター１０００は、図１に示すように、照明装置１００と、色分離導光光学系２００と、３つの集光レンズ３００Ｒ，３００Ｇ，３００Ｂと、電気光学変調装置としての３つの液晶装置４００Ｒ，４００Ｇ，４００Ｂと、クロスダイクロイックプリズム５００と、投写レンズ６００と、冷却機構（図示省略）とを備えたプロジェクターである。
【００２１】
照明装置１００は、光源装置１０と、凹レンズ９０と、複数の第１小レンズ１２２を有する第１レンズアレイ１２０と、複数の第２小レンズ１３２を有する第２レンズアレイ１３０と、偏光変換素子１４０と、重畳レンズ１５０とを備えている。
【００２２】
光源装置１０は、発光管２０と、リフレクター３０と、副鏡４０とを備えている。リフレクター３０は、照明光軸ＯＣ上に第１焦点と第２焦点とを有する回転楕円面の一部である反射面３１（図２（ａ）および（ｂ）参照）を有する。また、リフレクター３０の第１焦点は、発光管２０の管球部２１（図２（ａ）および（ｂ）参照）内に位置する。光源装置１０は、リフレクター３０の第２焦点に向かって集束する照明光束を射出する。
【００２３】
光源装置１０は、発光管２０が寿命となった場合等に、ユーザーが取り替え可能なように構成されている。光源装置１０において、リフレクター３０から光束が射出される側を被照明領域側とも呼ぶ。また、光源装置１０において、被照明領域側とは反対側を背面側とも呼ぶ。光源装置１０の詳細構成については後述する。
【００２４】
凹レンズ９０は、光源装置１０の被照明領域側に配置されている。凹レンズ９０は、光源装置１０からの集束光を略平行光として、第１レンズアレイ１２０に向けて射出する。第１レンズアレイ１２０は、凹レンズ９０から射出される照明光束を複数の部分光束に分割する光束分割光学素子としての機能を有する。第１レンズアレイ１２０は、照明光軸ＯＣと略直交する面内にマトリクス状に配列される複数の第１小レンズ１２２を備えている。図示による説明は省略するが、第１小レンズ１２２の外形形状は、液晶装置４００Ｒ，４００Ｇ，４００Ｂの画像形成領域の外形形状に関して相似形である。
【００２５】
第２レンズアレイ１３０は、上述した第１レンズアレイ１２０により分割された複数の部分光束を集光するための光学素子である。第２レンズアレイ１３０は、第１レンズアレイ１２０の複数の第１小レンズ１２２に対応して、照明光軸ＯＣに略直交する面内にマトリクス状に配列される複数の第２小レンズ１３２を備えている。
【００２６】
偏光変換素子１４０は、第２レンズアレイ１３０からの各部分光束を、偏光方向の揃った略１種類の直線偏光に変換して射出する偏光変換素子である。偏光変換素子１４０は、光源装置１０からの照明光束に含まれる偏光成分のうち一方の直線偏光成分をそのまま透過し、他方の直線偏光成分を照明光軸ＯＣに垂直な方向に反射する偏光分離層と、偏光分離層で反射された他方の直線偏光成分を照明光軸ＯＣに平行な方向に反射する反射層と、反射層で反射された他方の直線偏光成分を一方の直線偏光成分に変換する位相差板とを有している。
【００２７】
重畳レンズ１５０は、第１レンズアレイ１２０、第２レンズアレイ１３０、および偏光変換素子１４０を経て射出される複数の部分光束を集光して液晶装置４００Ｒ，４００Ｇ，４００Ｂの画像形成領域近傍に重畳させるための光学素子である。なお、重畳レンズ１５０は、図１では１枚のレンズとして図示されているが、複数のレンズを組み合わせた複合レンズで構成されていてもよい。
【００２８】
色分離導光光学系２００は、ダイクロイックミラー２１０，２２０と、反射ミラー２３０，２４０，２５０と、入射側レンズ２６０と、リレーレンズ２７０とを有している。色分離導光光学系２００は、照明装置１００から射出される照明光束を赤色光、緑色光、および青色光の３つの色光に分離して、それぞれの色光を照明対象となる液晶装置４００Ｒ，４００Ｇ，４００Ｂに導く機能を有している。
【００２９】
ダイクロイックミラー２１０，２２０は、基板上に所定の波長領域の光束を反射し、他の波長領域の光束を透過する波長選択膜が形成された光学素子である。光路前段に配置されるダイクロイックミラー２１０は、赤色光成分を反射し、その他の色光成分を透過するミラーである。光路後段に配置されるダイクロイックミラー２２０は、緑色光成分を反射し、青色光成分を透過するミラーである。
【００３０】
ダイクロイックミラー２１０で反射された赤色光成分は、反射ミラー２３０により曲折され、集光レンズ３００Ｒを介して赤色光用の液晶装置４００Ｒの画像形成領域に入射する。集光レンズ３００Ｒは、重畳レンズ１５０からの各部分光束を各主光線に対して略平行な光束に変換するために設けられている。他の液晶装置４００Ｇ，４００Ｂの光路前段に配設される集光レンズ３００Ｇ，３００Ｂも、集光レンズ３００Ｒと同様に構成されている。
【００３１】
ダイクロイックミラー２１０を通過した緑色光成分および青色光成分のうち緑色光成分は、ダイクロイックミラー２２０によって反射され、集光レンズ３００Ｇを通過して緑色光用の液晶装置４００Ｇの画像形成領域に入射する。一方、青色光成分は、ダイクロイックミラー２２０を透過し、入射側レンズ２６０、入射側の反射ミラー２４０、リレーレンズ２７０、射出側の反射ミラー２５０、および集光レンズ３００Ｂを通過して青色光用の液晶装置４００Ｂの画像形成領域に入射する。入射側レンズ２６０、リレーレンズ２７０、および反射ミラー２４０，２５０は、ダイクロイックミラー２２０を透過した青色光成分を液晶装置４００Ｂまで導く機能を有している。
【００３２】
なお、青色光の光路にこのような入射側レンズ２６０、リレーレンズ２７０、および反射ミラー２４０，２５０が設けられているのは、青色光の光路の長さが他の色光の光路の長さよりも長いため、光の発散等による光の利用効率の低下を防止するためである。第１の実施形態に係るプロジェクター１０００においては、青色光の光路の長さが長いのでこのような構成とされているが、赤色光の光路の長さを長くして、入射側レンズ２６０、リレーレンズ２７０、および反射ミラー２４０，２５０を赤色光の光路に用いる構成としてもよい。
【００３３】
液晶装置４００Ｒ，４００Ｇ，４００Ｂは、色分離導光光学系２００で分離された３つの色光のそれぞれを画像情報に応じて変調するものであり、照明装置１００の照明対象となっている。図示を省略するが、各集光レンズ３００Ｒ，３００Ｇ，３００Ｂと各液晶装置４００Ｒ，４００Ｇ，４００Ｂとの間には、それぞれ入射側偏光板が配置され、各液晶装置４００Ｒ，４００Ｇ，４００Ｂとクロスダイクロイックプリズム５００との間には、それぞれ射出側偏光板が配置されている。
【００３４】
これら入射側偏光板、液晶装置４００Ｒ，４００Ｇ，４００Ｂ、および射出側偏光板によって、入射する各色光の光変調が行われる。液晶装置４００Ｒ，４００Ｇ，４００Ｂは、一対の透明なガラス基板に電気光学物質である液晶を密閉封入したものである。液晶装置４００Ｒ，４００Ｇ，４００Ｂは、例えば、ポリシリコンＴＦＴをスイッチング素子として、与えられた画像信号に応じて、入射側偏光板から射出された１種類の直線偏光の偏光方向を変調する。
【００３５】
クロスダイクロイックプリズム５００は、３つの液晶装置４００Ｒ，４００Ｇ，４００Ｂによって変調され、射出側偏光板から射出された色光毎に変調された光学像を合成してカラー画像を形成する光学素子である。クロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光および青色光は曲折され、緑色光の進行方向と揃えられることにより、３つの色光が合成される。
【００３６】
投写レンズ６００は、クロスダイクロイックプリズム５００によって合成されたカラー画像をスクリーンＳＣＲ等の投写面に拡大投写する。これにより、スクリーンＳＣＲ等の投写面上に画像が形成される。
【００３７】
＜光源装置＞
次に、第１の実施形態に係る光源装置について、図２を参照して説明する。図２は、第１の実施形態に係る光源装置の概略構成を示す図である。詳しくは、図２（ａ）は光源装置１０の要部の構成を示す斜視図である。また、図２（ｂ）は、図２（ａ）において照明光軸ＯＣを含む平面Ｓ１で切断したときのＡ−Ａ’線に沿った断面図である。
【００３８】
以下では、プロジェクター１０００をいわゆる据え置き状態に配置する場合を例にとり説明する。図２（ａ）および（ｂ）における光源装置１０の各構成要素の配置は、プロジェクター１０００の据え置き状態に対応している。
【００３９】
なお、プロジェクター１０００の据え置き状態において、重力方向は照明光軸ＯＣと略直交する方向であり、リフレクター３０側から副鏡４０側に向かう方向となる。重力方向における上方を単に上方とも呼び、重力方向における下方を単に下方とも呼ぶ。
【００４０】
また、照明光軸ＯＣに沿った方向をＸ方向とも呼び、重力方向に沿った方向をＺ方向とも呼ぶ。Ｘ方向およびＺ方向と略直交する方向をＹ方向とも呼ぶ。Ｙ方向は、プロジェクター１０００の据え置き状態における水平方向に沿った方向である。上述の平面Ｓ１は、Ｘ方向とＺ方向とで構成されるとともに、照明光軸ＯＣを含む平面である。
【００４１】
第１の実施形態に係る光源装置１０は、図２（ａ）および（ｂ）に示すように、発光管２０と、リフレクター３０と、副鏡４０と、接着剤Ｃとを備えている。なお、図２（ａ）ではリード線２８ａ，２８ｂおよび接着剤Ｃの図示を省略している。
【００４２】
発光管２０は、管球部２１と、一対の封止部２２ａ，２２ｂと、一対の電極２４ａ，２４ｂと、一対の金属箔２６ａ，２６ｂと、一対のリード線２８ａ，２８ｂとを有している。発光管２０としては、高輝度発光する種々の発光管を採用でき、例えば、高圧水銀ランプ、超高圧水銀ランプ、メタルハライドランプ等を採用できる。
【００４３】
封止部２２ａ，２２ｂは、管球部２１から両側に照明光軸ＯＣに沿って延設されている。封止部２２ａは管球部２１の被照明領域側に配置されており、封止部２２ｂは管球部２１の被照明領域側とは反対側、すなわち背面側に配置されている。管球部２１および封止部２２ａ，２２ｂは、例えば石英ガラスからなり、一体に形成されている。管球部２１内には、例えば、水銀、希ガスおよび少量のハロゲンが封入されている。
【００４４】
図２（ｂ）に示すように、電極２４ａ，２４ｂは、管球部２１内に封入された一端部同士が互いに対向するように配置されている。電極２４ａ，２４ｂの互いに対向する一端部には、放電部が形成されている。電極２４ａは照明光軸ＯＣに沿って封止部２２ａ側に延在しており、その端部は金属箔２６ａに電気的に接続されている。電極２４ｂは照明光軸ＯＣに沿って封止部２２ｂ側に延在しており、その端部は金属箔２６ｂに電気的に接続されている。電極２４ａ，２４ｂは、例えば、タングステン等の金属からなる。
【００４５】
金属箔２６ａ，２６ｂは、照明光軸ＯＣに沿って延在している。金属箔２６ａは封止部２２ａ内に封止されており、金属箔２６ｂは封止部２２ｂ内に封止されている。金属箔２６ａ，２６ｂは、例えば、モリブデン等の金属からなる。
【００４６】
リード線２８ａ，２８ｂは、照明光軸ＯＣに沿って延在している。リード線２８ａの一端部側は、封止部２２ａ内に封止され、金属箔２６ａに電気的に接続されている。リード線２８ａの他端部は、封止部２２ａから延出している。リード線２８ｂの一端部側は、封止部２２ｂ内に封止され、金属箔２６ｂに電気的に接続されている。リード線２８ｂの他端部は、封止部２２ｂから延出している。リード線２８ａ，２８ｂは、例えば、モリブデン、タングステン等の金属からなる。リード線２８ａ，２８ｂに電圧が印加されると、電極２４ａ，２４ｂ間に電位差が発生し、管球部２１内で放電が生じてアーク像が生成される。
【００４７】
リフレクター３０は、図２（ａ）および（ｂ）に示すように、第１の反射部としての反射部３２と、基部３４とを有している。反射部３２と基部３４とは、一体に形成されている。リフレクター３０の基材の材料としては、例えば、結晶化ガラスやアルミナ（Ａｌ2Ｏ3）等を好適に用いることができる。
【００４８】
反射部３２は、楕円面を照明光軸ＯＣを回転中心軸として回転させた楕円球の略１／４の形状を有している。より具体的には、反射部３２は、楕円球のうち、Ｙ方向とＺ方向とで構成される平面で切断したとき照明光軸ＯＣに沿った方向における略１／２が削除されるとともに、Ｘ方向とＹ方向とで構成される所定の平面Ｓ２で切断したときＺ方向における副鏡４０（反射部４２）側の端部３０ｚが削除された形状を有している（図２（ａ）参照）。
【００４９】
上述の楕円球が平面Ｓ２で切断される位置は、Ｚ方向における照明光軸ＯＣよりも副鏡４０側である。したがって、反射部３２は、発光管２０の外周を半周を超えて覆っている。端部３０ｚが削除されたことで、反射部３２の被照明領域側の開口部は略半円形状となる。反射部３２をこのような形状とすることにより、リフレクター３０を薄型化することができる。
【００５０】
反射部３２は、発光管２０に対向する内面側に反射面３１を有している。反射面３１は、照明光軸ＯＣ上に第１焦点と第２焦点とを有する回転楕円面の一部である。反射部３２は、発光管２０に対して、第１焦点近傍に管球部２１が位置するように配置されている。反射部３２は、反射面３１において、管球部２１から射出された光を被照明領域側の第２焦点位置に向けて反射する。反射面３１には、例えば、酸化チタン（ＴｉＯ2）と酸化シリコン（ＳｉＯ2）との誘電体多層膜からなる可視光反射層が形成されている。反射部３２には、背面側の基部３４との接続部分に開口部３３が設けられている。
【００５１】
基部３４は、反射部３２から背面側に封止部２２ｂに沿って延設されている。基部３４は、照明光軸ＯＣに沿って延在する円筒形のうち、Ｚ方向における照明光軸ＯＣよりも副鏡４０（固定部４４）側の位置で反射部３２の場合と同一の平面Ｓ２で切断され、固定部４４側が削除された形状を有している。したがって、基部３４は、封止部２２ｂの外周を半周を超えて覆っている。
【００５２】
基部３４と封止部２２ｂとの間には接着剤Ｃが充填されており、接着剤Ｃによってリフレクター３０と発光管２０とが互いに固着されている。接着剤Ｃは、例えば、シリカ系やアルミナ系の無機接着剤である。このような無機接着剤として、例えば、住友化学工業（株）の「スミセラム（登録商標）」を用いることができる。
【００５３】
副鏡４０は、発光管２０を間に挟んでリフレクター３０とは反対側に配置されている。つまり、副鏡４０は、発光管２０の下方側であって、リフレクター３０の端部３０ｚが削除された側に位置している。副鏡４０は、第２の反射部としての反射部４２と、固定部４４とを有している。反射部４２と固定部４４とは、一体に形成されている。副鏡４０は、例えば、硬質ガラスや石英ガラス等からなる。副鏡４０の材料は、金属であってもよい。
【００５４】
反射部４２は、球体のうち、平面Ｓ２に平行であるとともに照明光軸ＯＣを含む平面で切断したとき、Ｚ方向におけるリフレクター３０側の略１／２が削除された略半球形状を有している。反射部４２は、管球部２１のリフレクター３０とは反対側を覆うように配置されている。反射部４２は、管球部２１に対向する内面側に反射面４１を有している。
【００５５】
反射部４２は、反射面４１において、管球部２１から副鏡４０側に射出される光を管球部２１（反射面３１）へ向けて反射する。これにより、管球部２１から副鏡４０側に射出される光をリフレクター３０側へ戻して、照明光束として有効利用することができる。反射面４１には、例えば、酸化タンタル（Ｔａ2Ｏ5）と酸化シリコン（ＳｉＯ2）との誘電体多層膜からなる反射層が形成されている。
【００５６】
固定部４４は、反射部４２から背面側に封止部２２ｂに沿って延設されている。固定部４４は、照明光軸ＯＣに沿って延在する略円筒形のうち、例えば、反射部４２の場合と同一の平面で切断してＺ方向におけるリフレクター３０側の略１／２が削除された形状を有している。つまり、固定部４４は、封止部２２ｂの外周の略半周を覆っている。固定部４４と封止部２２ｂとの間には接着剤Ｃが充填されており、接着剤Ｃによって発光管２０と副鏡４０とが互いに固着されている。
【００５７】
第１の実施形態に係る光源装置１０の構成によれば、リフレクター３０は、副鏡４０側の端部３０ｚが削除されて、薄型化されている。また、その一方で、発光管２０から副鏡４０側に射出される光を反射部４２で反射して照明光束として有効利用できるので、リフレクター３０の端部３０ｚが削除されたことによる輝度の低下が抑えられる。したがって、輝度の低下を抑えて光源装置１０を薄型化することができる。
【００５８】
続いて、光源装置１０における発光管２０の封止部２２ｂ、リフレクター３０の基部３４、および副鏡４０の固定部４４の断面形状および位置関係について、図３および図４を参照してさらに説明する。図３および図４は、第１の実施形態に係る光源装置の概略構成を示す図である。詳しくは、図３（ａ）は光源装置１０の側面図であり、図３（ｂ）は光源装置１０の背面図である。図４は、図３（ｂ）の部分拡大図である。
【００５９】
図３（ａ）および（ｂ）に示すように、リフレクター３０は、発光管２０の外周を半周を超えて覆っており、副鏡４０の一部を覆っている。リフレクター３０の基部３４は、照明光軸ＯＣよりも下方側に位置する第１の部分３４ａと、照明光軸ＯＣよりも上方側に位置する第２の部分３４ｂとを有している。基部３４において、第１の部分３４ａは副鏡４０の固定部４４と重なる部分であり、第２の部分３４ｂは固定部４４と重ならない部分である。
【００６０】
図３（ｂ）に示すように、基部３４をＹ方向とＺ方向とで構成される平面で切断したときの第１の部分３４ａの断面形状は、例えば、照明光軸ＯＣを中心とする円形の下方側の略半分のうち、さらに平面Ｓ２（図２（ａ）参照）で下方側が削除された形状である。第２の部分３４ｂの断面形状は、例えば、照明光軸ＯＣを通りＹ方向に平行な長軸を有する楕円形のうち下方側の略半分が削除された形状である。
【００６１】
なお、反射部３２の開口部３３は、背面側からの平面視で基部３４の空洞部と重なり、その断面形状は基部３４の断面形状と相似形である。また、封止部２２ｂの断面形状は、例えば、照明光軸ＯＣを中心とする円形である。固定部４４の断面形状は、例えば、照明光軸ＯＣを中心とする円形のうち上方側の略半分が削除された形状である。
【００６２】
接着剤Ｃは、封止部２２ｂと第２の部分３４ｂとの間、および封止部２２ｂと固定部４４との間に配置されている。さらに、接着剤Ｃは、固定部４４のうちの第１の部分３４ａと重なる部分と第１の部分３４ａとの間にも配置されている。したがって、固定部４４は、封止部２２ｂに固着されるとともに、接着剤Ｃを介して封止部２２ｂと第１の部分３４ａとの間に保持されている。
【００６３】
特許文献１に記載の光源装置のように、副鏡の固定部がリフレクターの基部と重ならない構成を有する光源装置では、副鏡がリフレクター等で保持されておらず、副鏡の固定は発光管の封止部と固定部との間に配置された接着剤の固着力に頼ることとなる。しかしながら、副鏡はリフレクターよりも下方側に位置しているため、副鏡が発光管から脱落し易くなり、振動や衝撃に対する耐性が低くなってしまう。
【００６４】
これに対して、第１の実施形態に係る光源装置１０の構成によれば、固定部４４が、接着剤Ｃで封止部２２ｂに固着されるとともに、接着剤Ｃを介して封止部２２ｂと基部３４（第１の部分３４ａ）との間に保持される。これにより、副鏡４０が発光管２０から脱落し難くなるとともに、振動や衝撃に対する耐性が向上する。この結果、輝度の低下を抑えて薄型化を図るとともに、副鏡４０が脱落し難く振動や衝撃に対する耐性が高い光源装置１０を提供できる。
【００６５】
ところで、通常の光源装置では、特許文献１に記載の光源装置のように、リフレクターの基部は略円筒形のうち略１／２が削除された形状であり、その断面形状は略半円形である。仮に、リフレクター３０が、図４に２点鎖線で示すように、照明光軸ＯＣを中心とする円形のうち平面Ｓ２（図２（ａ）参照）の下方側が削除された断面形状を有する基部５４を備えているとする。このとき、反射部３２の開口部５３は、基部５４の断面に対応した形状となる。したがって、基部５４の断面が大きいほどその分反射部３２の面積が減少し輝度が低下することとなる。
【００６６】
図４において、基部５４と封止部２２ｂとの距離をＤ１とする。また、基部５４と固定部４４との距離をＤ２とする。距離Ｄ１は、封止部２２ｂと固定部４４との距離、固定部４４の厚さ、および距離Ｄ２の和に相当する。基部５４と封止部２２ｂとは同心円であるので、基部５４のいずれの部分においても、封止部２２ｂとの距離は略同一のＤ１となる。
【００６７】
これに対して、光源装置１０では、上述の基部５４の場合と同様に、基部３４の第１の部分３４ａと封止部２２ｂとの距離はＤ１であり、第１の部分３４ａと固定部４４との距離はＤ２である。しかしながら、第２の部分３４ｂにおける断面形状が照明光軸ＯＣを通りＹ方向に平行な長軸を有する半楕円形であるため、第２の部分３４ｂと封止部２２ｂとの距離は第１の部分３４ａと封止部２２ｂとの距離Ｄ１よりも小さい。したがって、基部３４の断面は、基部５４の断面よりも小さい。
【００６８】
より具体的には、第２の部分３４ｂと封止部２２ｂとの距離は、半楕円形の短軸方向、すなわち第２の部分３４ｂのＹ方向における中央部で最も小さく、中央部から離れるにしたがって（第１の部分３４ａに近づくにしたがって）徐々に大きくなる。第２の部分３４ｂのＹ方向における中央部と封止部２２ｂとの距離は、例えばＤ２である。そもそも、第２の部分３４ｂと封止部２２ｂとの距離には、封止部２２ｂと固定部４４との距離および固定部４４の厚さに相当する距離分を含まなくてもよいので、基部３４の第２の部分３４ｂを半楕円形状とし、第２の部分３４ｂと封止部２２ｂとの最短距離をＤ２とすることができる、とも言える。
【００６９】
このような光源装置１０の構成によれば、基部５４のように断面が略円形である場合に比べて、基部３４の断面をより小さくすることができる。このため、リフレクター３０の反射部３２における基部３４側の開口部３３をより小さくできるので、反射部３２の面積をその分大きくすることができる。これにより、反射部３２でより多くの光を反射することができるので、輝度の低下がより抑えられる。
【００７０】
（第２の実施形態）
＜光源装置＞
次に、第２の実施形態に係る光源装置について、図５を参照して説明する。第２の実施形態に係る光源装置は、第１の実施形態に係る光源装置に対して、リフレクターの基部の断面形状が異なっているが、その他の構成は同じである。
【００７１】
図５は、第２の実施形態に係る光源装置の概略構成を示す図である。詳しくは、図５は光源装置の背面図であり、図３（ｂ）に対応する背面の部分拡大図である。なお、第１の実施形態と共通する構成要素については、同一の符号を付しその説明を省略する。
【００７２】
第２の実施形態に係る光源装置１２は、図５に示すように、発光管２０と、リフレクター３０Ａと、副鏡４０とを備えている。
【００７３】
リフレクター３０Ａは、第１の反射部としての反射部３６と、基部３８とを有している。反射部３６には、背面側の基部３８との接続部分に開口部３７が設けられている。基部３８は、第１の実施形態における基部３４に対して、Ｙ方向とＺ方向とで構成される平面で切断したときの断面形状が異なっている。基部３８は、第１の部分３８ａと第２の部分３８ｂと第３の部分３８ｃとを有している。
【００７４】
第１の部分３８ａは、照明光軸ＯＣよりも下方側に位置する部分であり、副鏡４０の固定部４４と重なる部分である。第１の部分３８ａは、第１の実施形態における第１の部分３４ａと略同一の形状を有している。第１の部分３８ａと固定部４４との距離は、第１の実施形態における第１の部分３４ａと固定部４４との距離Ｄ２と略同一である。
【００７５】
第２の部分３８ｂおよび第３の部分３８ｃは、照明光軸ＯＣよりも上方側に位置する部分であり、固定部４４と重ならない部分である。基部３８における第２の部分３８ｂの断面形状は、例えば、照明光軸ＯＣを中心とする円形のうち上方側の一部である。したがって、第２の部分３８ｂと封止部２２ｂとの距離は、いずれの部分においても略同一である。第２の部分３８ｂと封止部２２ｂとの距離は、第１の部分３８ａと固定部４４との距離Ｄ２と略同一である。
【００７６】
第３の部分３８ｃは、第１の部分３８ａと第２の部分３８ｂとを接続する部分である。第３の部分３８ｃと封止部２２ｂとの距離は、第２の部分３８ｂから離れるにしたがって（第１の部分３８ａに近づくにしたがって）徐々に大きくなる。また、第３の部分３８ｃは、固定部４４との間に、固定部４４に接触しないように適宜設定された距離を有している。
【００７７】
光源装置１２の構成によれば、リフレクター３０Ａの基部３８における第１の部分３８ａと固定部４４との距離は、第１の実施形態における第１の部分３４ａと封止部２２ｂとの距離と略同一のＤ２である。しかしながら、第２の部分３８ｂのいずれの部分においても、第２の部分３８ｂと封止部２２ｂとの距離がＤ２で略同一である。つまり、基部３８の断面は、基部３４の断面よりも小さい。したがって、第１の実施形態のリフレクター３０に比べて、反射部３６における開口部３７をより小さくできるので、反射部３６の面積をその分大きくすることができる。
【００７８】
第２の実施形態に係る光源装置１２の構成によれば、第１の実施形態に係る光源装置１０と同様に、リフレクター３０Ａが薄型化された一方で、発光管２０から副鏡４０側に射出される光を有効利用できるので、輝度の低下を抑えて光源装置１２を薄型化することができる。
【００７９】
また、第２の実施形態に係る光源装置１２の構成によれば、固定部４４が、封止部２２ｂに固着されるとともに、接着剤Ｃを介して封止部２２ｂと基部３８の第１の部分３８ａとの間に保持される。これにより、第２の実施形態に係る光源装置１２においても、第１の実施形態に係る光源装置１０と同様に、副鏡４０が発光管２０から脱落し難くなるとともに、振動や衝撃に対する耐性が向上する。
【００８０】
さらに、第２の実施形態に係る光源装置１２の構成によれば、第１の実施形態における光源装置１０に比べて、リフレクター３０Ａの反射部３６における開口部３７をより小さくできるので、反射部３６の面積をその分大きくすることができる。これにより、反射部３６でより一層多くの光を反射することができるので、輝度の低下をさらに抑えらることができる。
【００８１】
以上、本発明の光源装置およびプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。
【００８２】
（変形例１）
上記実施形態の光源装置の構成では、副鏡がＺ方向における略１／２が削除された形状を有し発光管の外周の略半周を覆う構成であったが、本発明はこの形態に限定されない。副鏡が発光管の外周を半周を超えて覆う構成であってもよい。
【００８３】
副鏡が発光管の外周を半周を超えて覆う構成とすることで、上記実施形態に比べて、副鏡の固定部とリフレクターの基部とが重なる領域を大きくできる。これにより、上記実施形態に比べて、副鏡の脱落をより効果的に抑えることができる。ただし、リフレクターの基部の一部が副鏡の固定部と重なることで、基部の断面が上記実施形態に比べて大きくなる場合があり得る。
【００８４】
（変形例２）
上記実施形態のプロジェクターの構成では、光均一化光学系として第１レンズアレイおよび第２レンズアレイからなるレンズインテグレーター光学系を用いたが、本発明はこれに限定されるものではない。光均一化光学系として、例えば、導光ロッドからなるロッドインテグレーター光学系を用いることもできる。
【００８５】
（変形例３）
上記実施形態におけるプロジェクターは透過型のプロジェクターであるが、本発明はこれに限定されるものではない。例えば、反射型のプロジェクターであってもよい。ここで、「透過型」とは、透過型の液晶装置等のように光変調手段としての電気光学変調装置が光を透過するタイプであることを意味しており、「反射型」とは、反射型の液晶装置等のように光変調手段としての電気光学変調装置が光を反射するタイプであることを意味している。反射型のプロジェクターに本発明を適用した場合にも、透過型のプロジェクターと同様の効果を得ることができる。  
【００８６】
（変形例４）
上記実施形態におけるプロジェクターは３つの液晶装置を用いたプロジェクターであるが、本発明はこれに限定されるものではない。本発明は、例えば、１つ、２つまたは４つ以上の液晶装置を用いたプロジェクターにも適用することができる。
【００８７】
（変形例５）
上記実施形態のプロジェクターの構成では、電気光学変調装置として液晶装置を用いているが、本発明はこれに限定されるものではない。電気光学変調装置としては、一般に、画像情報に応じて入射光を変調するものであればよく、マイクロミラー型光変調装置等を利用してもよい。マイクロミラー型光変調装置としては、例えば、ＤＭＤ（デジタルマイクロミラーデバイス）（ＴＩ社の商標）を用いることができる。
【００８８】
（変形例６）
本発明は、投写画像を観察する側から投写するフロント投写型プロジェクター、および、投写画像を観察する側とは反対の側から投写するリア投写型プロジェクターに適用することが可能である。
【００８９】
（変形例７）
上記実施形態においては、本発明の光源装置をプロジェクターに適用した例について説明したが、本発明はこれに限定されるものではない。本発明の光源装置を、例えば、光ディスク装置等他の光学機器に適用することもできる。
【符号の説明】
【００９０】
１０，１２…光源装置、２０…発光管、２１…管球部、２２ａ，２２ｂ…一対の封止部、３０，３０Ａ…リフレクター、３２，３６…第１の反射部としての反射部、３４，３８…基部、３４ａ，３８ａ…第１の部分、３４ｂ，３８ｂ…第２の部分、４０…副鏡、４２…第２の反射部としての反射部、４４…固定部、１００…照明装置、１２０…第１レンズアレイ、１２２…第１小レンズ、１３０…第２レンズアレイ、１３２…第２小レンズ、１４０…偏光変換素子、１５０…重畳レンズ、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、４００Ｒ，４００Ｇ，４００Ｂ…電気光学変調装置としての液晶装置、５００…クロスダイクロイックプリズム、６００…投写レンズ、１０００…プロジェクター、Ｃ…接着剤、ＯＣ…照明光軸。
【図１】
2011181309.tif 000003
【図２】
2011181309.tif 000004
【図３】
2011181309.tif 000005
【図４】
2011181309.tif 000006
【図５】
2011181309.tif 000007